(57)【要約】【課題】光源が１灯であるなど少ない灯数であっても、輝度ムラを低減させた均一発光が可能な発光アクセサリーを提供する。【解決手段】光源２０と、光源２０から照射された光を導光する導光体２３と、光源２０および導光体２３を保持し、外部への取付手段を有するケース本体１１と、光透過性の材料からなり、ケース本体１１に取り付けられ、光源２０および導光体２３を覆うカバー体１０と、を備え、導光体２３の中央付近には、光源２０に面する裏面とは反対側の表面に、導光体２３の厚さ方向に対して傾斜する傾斜部２３ａが形成され、光源２０は、傾斜部２３ａに対向するように配置されている、発光アクセサリー。【選択図】  図５
2017000423.tif 000002
【特許請求の範囲】
【請求項１】
光源と、該光源から照射された光を導光する導光体と、前記光源および前記導光体を保持し、外部への取付手段を有するケース本体と、光透過性の材料からなり、前記ケース本体に取り付けられ、前記光源および導光体を覆うカバー体と、を備え、
前記導光体の中央付近には、前記光源に面する裏面とは反対側の表面に、前記導光体の厚さ方向に対して傾斜する傾斜部が形成され、
前記光源は、前記傾斜部に対向するように配置されている、
発光アクセサリー。
【請求項２】
請求項１に記載の発光アクセサリーであって、
前記傾斜部は、前記裏面の前記光源に向かって前記導光体の前記表面が凹入した凹所を取り囲む形状を有している、発光アクセサリー。
【請求項３】
請求項２に記載の発光アクセサリーであって、
前記傾斜部の表面は、前記凹所の中心側に向かって膨出した湾曲面である、発光アクセサリー。
【請求項４】
請求項２または３に記載の発光アクセサリーであって、
前記凹所の底部に、前記導光体を前記導光体の厚さ方向に貫通する貫通孔が形成されている、発光アクセサリー。
【請求項５】
請求項１〜４のいずれか一項に記載の発光アクセサリーであって、
前記導光体は、内部に散乱粒子が分散されている、発光アクセサリー。
【請求項６】
請求項１〜５のいずれか一項に記載の発光アクセサリーであって、
前記カバー体と前記導光体との間には、光が透過可能な絵柄シートが配設されている、発光アクセサリー。
【請求項７】
請求項６に記載の発光アクセサリーであって、
前記絵柄シートの外形は、前記カバー体および前記導光体の外形よりも小さい、発光アクセサリー。
【請求項８】
請求項１〜７のいずれか一項に記載の発光アクセサリーであって、
前記カバー体と前記導光体とは、円盤状であり、前記円盤の外周部は、前記ケース本体に面する裏面側に向かって、径方向外方に膨出するように湾曲している、発光アクセサリー。
【請求項９】
請求項１〜８のいずれか一項に記載の発光アクセサリーであって、
前記取付手段は、互いに間隔をあけて配置され、前記ケース本体に一体形成された一対の係止爪である、発光アクセサリー。
【発明の詳細な説明】
【技術分野】
【０００１】
本発明は、例えば衣類やバッグや帽子などに取り付けられるバッジ、キーホルダー、携帯ストラップ等のアクセサリーに関し、特に光源を内蔵し、該光源を点灯または点滅させることによって発光させることのできるアクセサリーに関する。
【背景技術】
【０００２】
従来より、アクセサリーの内部にＬＥＤ等の光源を配設し、光源から光を照射することによってバッジの一部または全体を発光させることがおこなわれている。アクセサリーを発光させる目的は、アクセサリーの表面または内部の図柄やアクセサリーの外観を強調したり、装飾したりすることの他に、アクセサリーの照明機能の付加、または衣服やカバンなどにアクセサリーを装着して夜間に点灯または点滅させることによる交通事故防止や防犯などがある。
【０００３】
特許文献１には、外形形状が星型などの立体形状となるとともに内部に空洞部が形成されるように分割形成された色つきの半透明のケース体を有し、前記空洞部内に複数のＬＥＤ基板を配設するとともに、電源および該電源をＯＮ、ＯＦＦするスイッチを内蔵して、前記ケース体をＬＥＤの各種発光色が透過することによって混合される光の色で、可視することができるアクセサリー製品が開示されている。
【０００４】
このような構成のアクセサリー製品では、夜間に光らせることにより、警告灯の機能を持たせたり、交通事故を防止したりするなどの効果が得られる。
【０００５】
特許文献２には、ＬＥＤからなる発光部から発せられる光が具象形状を呈する光透過体の内部を透過し表面各部で屈折して出光するように発光部が光透過体の背後に収納されている発光アクセサリーが開示されている。さらに、中央部に設けられた１灯のＬＥＤから照射された光が光透過体の背後に形成された凹部へと散乱することで光透過体の各部から各種の屈折光で出光させた発光アクセサリーが開示されている。
【０００６】
このような構成の発光アクセサリーにより、ＬＥＤの発光が光透過体の背後で起こり光透過体を透過することにより、光透過体の表面各部で独特の屈折光が見られるので、発光アクセサリーが引き立てられる効果が得られる。また、ＬＥＤからなる発光部を光透過体の背後に設けた凹部に格納することによって、小型化できる。
【先行技術文献】
【特許文献】
【０００７】
【特許文献１】特開２００９−１８３３２７号公報
【特許文献２】実用新案第３１６１５８１号公報
【発明の概要】
【発明が解決しようとする課題】
【０００８】
上述の特許文献１に開示されたアクセサリー製品では、全体を発光させるためにＬＥＤを複数配置しているが、コストが増加するともに組付工数が増加、ＬＥＤの設置スペースを確保する為に製品が大型化するなどの課題を有している。また、ＬＥＤを複数配置しても、ＬＥＤを配置した部分の輝度が相対的に極めて高くなるため、特許文献１のアクセサリー製品では、全体を均一に発光させることができない。
【０００９】
特許文献２に開示されている発光アクセサリーは、光源が１灯であり、１灯の光源から離れるにつれて出光する光の輝度が相対的に低くなるため、全体を均一に発光させることができないという課題を有している。
【００１０】
本発明の目的は、光源が１灯であるなど少ない灯数であっても、輝度ムラを低減させた均一発光が可能な発光アクセサリーを提供することである。
【課題を解決するための手段】
【００１１】
本発明に係る発光アクセサリーは、光源と、該光源から照射された光を導光する導光体と、前記光源および前記導光体を保持し、外部への取付手段を有するケース本体と、光透過性の材料からなり、前記ケース本体に取り付けられ、前記光源および導光体を覆うカバー体と、を備え、前記導光体の中央付近には、前記光源に面する裏面とは反対側の表面に、前記導光体の厚さ方向に対して傾斜する傾斜部が形成され、前記光源は、前記傾斜部に対向するように配置されている。
【００１２】
本発明に係る発光アクセサリーは、光源から照射された光を導光する導光体を備えて、光源に面する裏面とは反対側の表面に、導光体の厚さ方向に対して傾斜する傾斜部を有し、光源が導光体の中央付近でこの傾斜部に対向しているので、光源からの光を、傾斜部で反射させて、導光体の中央付近から導光体の全体に導光することにより、輝度ムラを低減させた、面状に均一発光する発光アクセサリーを提供することができる。
【００１３】
前記傾斜部は、前記裏面の前記光源に向かって前記導光体の前記表面が凹入した凹所を取り囲む形状を有していることが好ましい。傾斜部の形状が、凹入した凹所を取り囲む形状なので、光源からの光が、導光体の中央付近から離れる方向へ、放射状に導光されることにより、一層輝度ムラを低減させた、面状に均一発光する発光アクセサリーを提供することができる。
【００１４】
前記傾斜部の表面は、前記凹所の中心側に向かって膨出した湾曲面であることが好ましい。傾斜部の表面が、凹所の中心側に向かって膨出した湾曲面となる形状なので、一層確実に、光源からの光が、湾曲面の内側で全反射しながら、導光体の中央付近から離れる方向へ、放射状に導光されることにより、一層確実に、輝度ムラを低減させた、面状に均一発光する発光アクセサリーを提供することができる。
【００１５】
前記凹所の底部に、前記導光体を前記導光体の厚さ方向に貫通する貫通孔が形成されていることが好ましい。凹所の底部に貫通孔が形成されているので、光源からの光の一部が、貫通孔を通って導光体の外側に出射されるので、前記底部とその周囲の導光体の輝度が極度に高くなるのを抑制できる。
【００１６】
前記導光体は、内部に散乱粒子が分散されていることが好ましい。導光体内部に散乱粒子が分散されているので、光源からの光の散乱が、導光体内部の散乱粒子によって増幅されるため、包み込むような柔らかな発光が可能となることにより、輝度ムラを低減させた、面状に均一発光する発光アクセサリーを提供することができる。
【００１７】
前記カバー体と前記導光体との間には、光が透過可能な絵柄シートが配設されていてもよい。アニメや映画などのキャラクターやロゴが印刷された絵柄シートが配設されることにより、発光アクセサリーをキャラクター商品とすることができる。絵柄シートは容易に取替え可能であり、発光アクセサリーのバリエーションは無数に増える。絵柄シートには、上記キャラクターやロゴの他に、風景や有名人の写真が印刷されたものも含まれる。
【００１８】
前記絵柄シートの外形は、前記カバー体および前記導光体の外形よりも小さくてもよい。絵柄シートの外形をカバー体や導光体の外形よりも小さくすることによって、絵柄シート自体が発光するのに加えて、絵柄シートの周りが帯状、例えば円環状により強く発光するため、独特のイルミネーション効果が得られるため好ましい。
【００１９】
前記カバー体と前記導光体とは、円盤状であり、前記円盤の外周部は、前記ケース本体に面する裏面側に向かって、径方向外方に膨出するように湾曲していることが好ましい。外周が湾曲しているため、当該外周に触れた際に手を痛めるなどの可能性を除去するとともに、触り心地がよく、やわらかみのある幻想的なイルミネーション効果が得られる。
【００２０】
前記取付手段は、互いに間隔をあけて配置され、前記ケース本体に一体形成された一対の係止爪であることが好ましい。係止爪が、互いに間隔をあけて配置され、一対形成されているので、係止爪が1つだけの場合と比較して、位置ズレを防止できるとともに、発光アクセサリーの位置決めを確実にできるから、発光アクセサリーが斜めになった状態で取り付けられることがなくなる。また、取付手段がケース本体に一体形成されているので、取付手段が別体で装着されている場合と比べて、取付手段がケース本体から脱落することを回避できるとともに、取付手段の製造工程が複雑となることを回避できる。
【発明の効果】
【００２１】
本発明の発光アクセサリーにより、光源が１灯であるなど少ない灯数であっても、輝度ムラを低減させた均一発光を可能とできる。
【図面の簡単な説明】
【００２２】
【図１】本実施形態に係る発光アクセサリーの例であるバッジを発光面側から見た正面図である。
【図２】同バッジを発光面とは反対側の裏面から見た背面図である。
【図３】同バッジを側面からみた側面図である。
【図４】同バッジを構成部品ごとに分解して示した斜視図である。
【図５】図２のＡ−Ａ線断面図である。
【図６】図２のＢ−Ｂ線断面図である。
【図７】同バッジの外周部を拡大して示した断面図である。
【図８】同バッジの光源周りの要部を拡大して示した縦断面図である。
【発明を実施するための形態】
【００２３】
以下、図面を参照して本発明の実施形態を説明する。
【００２４】
本発明による発光アクセサリーの一実施形態であるバッジ１を、発光面である表面の側から見た正面図を図１に、発光面の反対側のバッジ１の裏面側から見た背面図を図２に示している。また、バッジ１の側面（図１の右方）から見た側面図を図３に示している。
【００２５】
図１に示したバッジ１は、直径約５０ｍｍの円盤状に形成されている。発光面となるカバー体１０も同寸法の円盤状であり、図３に示すように外周部１０１はケース本体１１に面する裏面側に向かって径方向外方に膨出するように湾曲して形成されている。具体的には、外周部１０１の外径が、裏面側に向かって、一旦大きくなった後に小さくなっている。カバー体１０は、透明または半透明の光透過性を有する材料で成形されており、ケース本体１１の内部に収容された光源からの光を外部へ照射可能とされている。
【００２６】
本実施形態では、カバー体１０は、半透明のポリカーボネート樹脂を圧空成形することによって、厚みが０．４ｍｍとなるように形成している。ここで、カバー体１０の外周部１０１は上記のように湾曲して形成されているので、この湾曲部で光は屈折するなどして、独特な発光態様となり、幻想的なイルミネーション効果が得られる。なお、カバー体１０の表面は、光沢処理が施されており、高級感が醸成されている。さらに、カバー体１０の表面は、裏面側から表面側に向けて、若干程度、突出するように湾曲している。これにより、カバー体１０自身の強度が向上する。
【００２７】
バッジ１のケース本体１１は、後述の格納部１２とカバー部１３とからなり（図４）、図２に示すように、前記発光面の反対側となる、ケース本体１１の裏面側、即ち、カバー部１３の裏面側には、衣服やバッグなどへの取付手段である１対の係止爪１３ａ、１３ａ´が一体形成されている。係止爪１３ａ、１３ａ´は、カバー部１３の裏面で互いに間隔を開けて配置されており、図３に示す下方へ延出するように、ケース本体１１に一体形成されている。これにより、例えば衣服のポケットの縁等に、係止爪１３ａ、１３ａ´を引っかけて取り付けることが可能となるとともに、バッジ１の上下の位置関係を合わせるようにして取り付けできるので、好ましい。また、図２に示すように、係止爪１３ａ、１３ａ´は互いに間隔をあけて２つ形成されているので、バッジ１の表面の軸方向における回転移動を制限して、バッジの位置決めを正確に行うことができるとともに、バッジ１の位置ズレを防止できるから、好ましい。
【００２８】
カバー部１３の裏面には、係止爪１３ａ、１３ａ´に対向するように、開口部１３ｃ、１３ｃ´が形成されている。これにより、係止爪１３ａ、１３ａ´がアンダーカット形状とならないので、成形時にスライド駒などを使用せずに一体形成することが可能となる。スライド駒を使用した係止爪１３ａ、１３ａ´の成形では、開口部１３ｃ、１３ｃ´が形成されないが、製造工程が複雑となる。しかし、本実施形態のように、開口部１３ｃ、１３ｃ´を形成しつつ係止爪１３ａ、１３ａ´を成形してから、開口部１３ｃ、１３ｃ´に、後述の格納部１２に形成された凸形状１２ｂ、１２ｂ´（図５）が嵌合するので、開口部１３ｃ、１３ｃ´の開口は閉塞される。これにより、バッジ１内部への塵や埃、水などの侵入を抑制することができる。
【００２９】
また、バッジ１は、別の取付手段として、図２に示すような、カバー部１３の裏面に一体形成された一対の係止部１３ｂ、１３ｂ´に係止固定された安全ピン１４を設けている。これにより、衣服に、ポケットなどが無く係止爪１３ａ、１３ａで引っかけることができなくても、安全ピン１４を使用して取り付けることが可能となる。本実施形態においては、安全ピン１４を係止部１３ｂ、１３ｂ´に係止させて取り付け手段としているが、安全ピン１４に替えて紐のようなものをループ状としたストラップを係止部１３ｂ、１３ｂ´に係止させて取付手段としてもよい。このような構成とすることで、使用者が、バッジ１をポケット等に、係止爪１３ａ、１３ａ´で引掛けたり、安全ピン１４で取り付けたりする他に、バッジ１を首から掛けて使用することも可能となるので、使用者の好みや用途に合わせて取り付け手段を選択することができるので、利便性が向上する。また、取付手段は、上述の構成に限らずに、マグネットやマジックファスナ等の公知の締結手段で代替可能である。
【００３０】
カバー部１３の中央には、開口１３ｆが形成されており、該開口１３ｆを塞ぐように蓋部材１５がビス１６によって取り付けられている。開口１３ｆは、電池１７（図４）の交換用として設けられており、図２の蓋部材１５で開閉可能に遮蔽されている。前記開口１３ｆの周縁の一部には係止部１３ｄが形成されていて、カバー部１３に嵌合して取り付けられている蓋部材１５に設けられた突起１５１が、その内部に係止されている。蓋部材１５の取付方法は、本実施形態では、ビス１６により固定構造を採用しているが、これに限られることはなく、蓋部材１５の側壁に設けられた係止爪などをカバー部１３の開口１３ｆ側に設けられた係止孔に嵌合することで固定可能としてもよい。
【００３１】
また、カバー部１３にはスリット１３ｅが形成されていて、該スリット１３ｅからスイッチ部材１８が突出して配設されるとともに、スイッチ部材１８は、スリット１３ｅ内をスライド移動可能とされている。スイッチ部材１８は、スリット１３ｅ内を両方端へスライドする際に、図４の電極２１を押圧して、電極２１を電池１７へ接触させ（バッジ１の発光）、位置を戻すことで非接触とさせ（バッジ１の消灯）、バッジ１の発光消灯の切替えを行う。さらに具体的には、バッジ１の発光は、スイッチ部材１８をスリット１３ｅの一方端へスライド移動させると、電極２１ａが電池１７に接触して点灯状態となり、スイッチ部材１８をスリット１３ｅの他方端へスライド移動させると、電極２１ｂが電池１７に接触して点滅状態となる。このように、本実施形態のバッジ１は、消灯、点灯、点滅の３段階に切替可能とされている。なお、スイッチ部材１８は、スリット１３ｅ内を両方端へスライドしても、スリット１３ｅが開口しない程度の長さを有している。
【００３２】
図５は図２のＡ−Ａ線断面図であり、図６は図２のＢ−Ｂ線断面図である。
【００３３】
図５のように、ケース本体１１の格納部１２とカバー部１３とを嵌合させることによって、互いに取付固定されるとともに、基板１９、スイッチ１８および電池１７等の格納スペースを形成している。カバー部１３には、図４に示す凸部１３ｇが、平面視で正三角形の頂点となる３箇所の位置に一体形成されていて、該凸部１３ｇを格納部１２に一体形成されている３箇所の凹部（不図示）に圧入することによって、格納部１２とカバー部１３とが互いに固定される。
【００３４】
基板１９の中央には、一灯のＬＥＤ（発光ダイオード）２０が実装されていて、バッジ１を発光させるための光源としての役割を担っている。ＬＥＤ２０としては、本実施形態では青みがかった白色のＬＥＤ２０を用いているが、これに限られることはなく、青色や赤色などの他、フルカラーのＬＥＤを用いて、発光色を可変としても構わない。また、基板１９には、プラス電極２１とマイナス電極２２がそれぞれ組み付けられており、マイナス電極２２は電池１７の負極側に接触している。前記スイッチ部材１８を摺動させることによって、プラス電極２１と電池１７との接触、非接触とが切り替えられて、ＬＥＤ２０の点灯（または点滅）、消灯を切替可能としている。
【００３５】
図５に示すように、格納部１２のＬＥＤ２０が配設されている側は、カバー体１０によって被覆されている。カバー体１０は、カバー部１３に形成された図７の段差部１３ｈと格納部１２の側壁との間に形成された溝にカバー体１０の外周部１０１の端縁を圧入することによって、ケース本体１１に取付固定されている。図５に示すように、カバー体１０とケース本体１１との間には、前記湾曲部を有する前記円盤状の導光体２３がカバー体１０に覆われて配設されていて、ＬＥＤ２０から照射された光を導光して、面状に発光させ、バッジ１の表面全体を発光させる。導光体２３を用いることによって、光源となるＬＥＤ２０が１灯のみでもバッジ１全体を光らせることが可能となるので、コスト低減できると同時に、省スペース化を図ることができる。
【００３６】
カバー体１０は、半透明（または透明）の樹脂材料を成形してなる成形体を使用しているので、導光体２３によって導光されて、面状に照射された光は、カバー体１０を透過してバッジ１の外部に発光するから、バッジにイルミネーション効果や照明機能を付与して付加価値を与えることが可能となる。
【００３７】
ここで、本実施形態では、カバー体１０と導光体２３との間にキャラクターなどが印刷された絵柄シート２４を配設している。該絵柄シート２４は透明または半透明な材料、例えば、ＰＥＴやＰＰなどの樹脂フィルムからなり、光が透過することによって、絵柄シート２４に印刷されたキャラクターやロゴ等が強調されたり、装飾されたりする。よって、絵柄シート２４により、従来の缶バッジなどと比較して、バッジ１は、高級感が付与されるとともに、夜間など暗視野においても視認性が向上するなどの効果を有する。絵柄シート２４は、交換可能であるので、様々なデザインが施された絵柄シートを適用することができるため好ましい。
【００３８】
また、絵柄シート２４の外形は、カバー体１０および導光体２３の外形よりも小さい。具体的には、絵柄シート２４は、略円形に形成されており、その直径は、カバー体１０や導光体２３の直径よりも小さくなるように形成されている。このような構成とすることによって、絵柄シート２４が積層されていない、導光体２３の外周縁部分の輝度が相対的に高くなるので、絵柄シート２４の周りが円環状により強く発光することになり、独特のイルミネーション効果が得られる。バッジ１は、正面視が円形でなくてもよく、四角形や五角形等の多角形でもよい。例えば、バッジ１が五角形の場合、絵柄シート２４の周りが五角形の帯状に発光する。
【００３９】
導光体２３は、内部に散乱粒子２３２を分散させた透明なアクリル樹脂（ＰＭＭＡ：ポリメタクリル酸メチル樹脂）が使用され、厚さが０．５ｍｍの円盤状で、カバー体１０に対して嵌合しうる外形、大きさとなるように射出成形して形成されている。導光体２３の外周部２３１は、表面側から裏面側に向かって、径方向外方に膨出するように湾曲して形成されており、その縦断面は、導光体２３の平面状の発光面である表面の両側に弧状に湾曲した湾曲部が配置される形状である。具体的には、外周部２３１は、その外径が、裏面側に向かって、一旦大きくなった後に小さくなるように、形成されている。上記の各円盤の外周が湾曲形成されているため、当該外周に触れた際に手を痛めるなどの可能性を除去するとともに、触り心地がよく、やわらかみのある幻想的なイルミネーション効果が得られる。
【００４０】
散乱粒子２３２は、導光体２３の母材樹脂（ＰＭＭＡ樹脂）とは屈折率が異なり、径がサブミクロン〜数十ミクロンの微細な粒子であり、母材樹脂内部で略均一となるように分散させている。光源２０から照射されて導光体２３内に入射し拡散されながら導光されていく光は、分散されている散乱粒子２３２によって、拡散が増幅されるとともに、導光体２３の表面に対して全反射角（臨界角）を超える角度となるように散乱粒子２３２で反射・散乱された光は、導光体２３の外部へと出射される。これにより、バッジ１はより均一な発光が可能となるとともに、包み込むような柔らかな光を創造することが可能となる。
【００４１】
図５の円盤状に形成された前記導光体２３の表面の径方向の略中央には、ＬＥＤ２０に面する裏面とは反対側の表面に、導光体２３の厚さ方向に対して傾斜する傾斜部２３ａが形成されている。また、ＬＥＤ２０が、傾斜部２３ａに対向するように配置されて、この傾斜部２３ａに向かって出光する。本実施形態では、傾斜部２３ａは、裏面のＬＥＤ２０に向かって導光体２３の表面が凹入した凹所２３ｃを取り囲む形状を有している。ここで、凹所２３ｃは、導光体２３の厚さ方向に直交する面の断面が円形である導光体２３の表面に囲まれており、当該円形の孔径は、裏面から表面に向かって、次第に大きくなっている。具体的には、傾斜部２３ａの表面は、凹所２３ｃの中心側に向かって膨出した湾曲面である。この湾曲形状により、一層確実に、光源２０からの光が、湾曲面の内側で全反射しながら、導光体２３の中央付近から離れる方向へ、導光体２３中を放射状に導光されることにより、発光アクセサリーを、一層確実に、輝度ムラを低減させて面状に均一発光させることができる。
【００４２】
さらに本実施形態では、凹所２３ｃの底部に、導光体２３を導光体２３の厚さ方向に貫通する貫通孔２３ａａが形成されている。よって、ＬＥＤ２０が導光体２３の貫通孔２３ａａに近接するように配設されており、具体的には、貫通孔２３ａａは、光源となるＬＥＤ２０に直面する位置に設計されている。これにより、光源となるＬＥＤ２０を導光体２３の側面に配置する構成と比べてＬＥＤ２０が配置位置に制限を受ける可能性が低くなり、設計の自由度が高められる。ＬＥＤ２０の光放射面と導光体２３の裏面との離間距離は、好ましくは１．０ｍｍ以下、より好ましくは０．５ｍｍ以下である。
【００４３】
凹所２３ｃは、上述のような、導光体２３の裏面側から反対側の導光体２３表面側に向かって、孔径が次第にその変化率を増大させつつ大きくなる略円錐体状の側壁である傾斜部２３ａに囲まれており、傾斜部２３ａは、裏面から表面にかけて、急峻な傾斜から緩やかな傾斜となるような変化を示す。この傾斜の変化により、図８に示すように、ＬＥＤ２０から出射した中央付近の出射光ｒ１は、貫通孔２３付近の導光体２３内の内側面（傾斜部）で反射されるが、光の照射方向に対して当該内側面における傾斜部２３ａの傾斜は急峻であるので、初回の反射での導光体２３の径方向に向けた出射光ｒ１の進行方向の変化は小さく、図の上方へ向けた出射光ｒ１の進行方向の変化は小さい。一方、中央以外のＬＥＤ２０から出射した出射光ｒ２は、中央から離れるにしたがって、光の照射方向に対して導光体２３内の内側面における傾斜部２３ａの傾斜は緩やかになっていくので、初回の反射での導光体２３の径方向に向けた出射光ｒ２の進行方向の変化が大きく、図の上方へ向けた出射光ｒ２の進行方向の変化が大きい。このように出射光は、導光体２３内で反射・散乱を繰り返して、導光体２３内を導光される。また、導光体２３の一部である、傾斜部２３ａの径方向外方から前記外周部２３１の径方向内方までの平面部Ｗは、中央から外周部２３１へ向けて径方向に厚さが漸減するように形成されている。これにより、ＬＥＤ２０から離れるほど、臨界角を超えるように反射される光が増えて、外部へ光が放射されやすくなるので、光量が減少するＬＥＤ２０から離れた位置の光の放射量が増加して、バッジ１が均一発光できる。以上により、単一のＬＥＤ２０から照射された光を、効率よく利用して、導光体内に分散させて導光体２３表面における面発光を可能としている。即ち、ＬＥＤ２０が１灯だけであるにもかかわらず、バッジ１全体を面状に均一発光させることができるという従来の発光アクセサリーと比較して格段の効果を奏する。
【００４４】
図８には、ＬＥＤ２０の指向特性Ｌも合わせて示している。放射光の進行方向の角度が、ＬＥＤ２０の放射面の法線方向から増していくに従い、光度Ｌは激減し、例えば前記法線方向から３０〜４０度以上の角度における光度はゼロとなる。貫通孔２３ａａは、指向特性Ｌから定まる貫通孔２３ａａの位置におけるＬＥＤ２０の有効発光エリアと同等あるいはそれ以上の範囲となるように形成されていることが、出射光の利用効率が高められるので好ましく、導光体２３の裏面側の開口の孔径が０．１〜１．０ｍｍ、より好ましくは０．２〜０．５ｍｍであり、表面側の開口の孔径が１．０〜１５．０ｍｍ、より好ましくは４．０〜１０．０ｍｍの範囲にある。本実施形態においては、ＬＥＤ２０と貫通孔２３ａａは１つずつ設けられているが、これに限られるものではなく、ＬＥＤを複数設置してもよいし、それに伴って貫通孔２３ａａを複数設けてもよい。凹所２３ｃは、上記実施形態のように略円錐体状のほかにも四角錘、六角錘、楕円錘などの錐体形状、半球形状、またはこれらの一部を変形した形とすることもできる。
【００４５】
前記貫通孔２３ａａは、ＬＥＤ２０のほぼ直上となる位置に形成されているので、光源から出射した光が傾斜部２３ａおよび散乱粒子２３２で反射・散乱して放射状に導光体内に拡散する。また、貫通孔２３ａａは、導光体２３を厚み方向に上下に貫通している為、光源から出射した光のうち光源の中心に近い部分の光は貫通孔２３ａａを通過して、導光体２３内に導光されない。これにより、導光体２３の光源に近い部分の発光量が他の部分と比べて大きくなることを防ぐことができるので、導光体２３の中央付近の輝度ムラを低減させ、導光体２３の発光面全体からより均一に発光させることが可能となる。しかし、貫通孔２３ａａの孔を透過した光がカバー体１０や絵柄シート２４に照射されて、バッジ１の中央部が点光りし、意匠性やイルミネーション効果が損なわれる可能性もある。このために、図４の絵柄シート２４と導光体２３との間に、前記貫通孔２３ａａに直面する位置近傍の点光りの部分に塗装を施して部分的に遮光した遮光シートＳＳを設けてもよい。遮光シートＳＳは、例えば、上記点光り部分を含むように円形の黒灰色の塗装を有し、中心から離れるに連れて、当該黒灰色が薄くなる塗装となっている。この遮光シートＳＳにより、点光りを低減させて、意匠性やイルミネーション効果が損なわれることを防止できる。この遮光の手段として、他に、絵柄シート２４の裏面に部分的に上記黒灰色の円形の塗装を施すなどしてもよい。円形の黒灰色の塗装は、他の色であってもよい。
【００４６】
導光体２３の素材としては、上記アクリル樹脂の代わりに、ポリカーボネート樹脂、ポリプロピレン樹脂、ポリエチレン樹脂、シリコン樹脂などでも利用可能である。また、透明樹脂ではなく半透明の樹脂を用いることもできる。
【００４７】
図６に示すように、導光体２３の裏面には、２つの凸部２３ｂが、図２および図４に示すＢ−Ｂ線上に突出形成されている。該凸部２３ｂを格納部１２に形成した凹部１２ａに圧入することによって、導光体２３は、格納部１２に位置決めされるとともに、取付固定されている。
【００４８】
図７に示すように、カバー体１０は、ケース本体１１のカバー部１３に形成された段差部１３ｈと格納部１２の外周壁との間に形成された上述の溝にカバー体１０の前記外周部１０１の端縁を圧入することによって、取付固定されている。カバー体１０の外周部１０１の端縁は、カバー体１０が当該溝から脱落しないように、格納部１２に若干食い込むようにバッジ１の表面から裏面に向けて内径が若干小さくなっている。ここで、カバー部１３の表面側を向く端縁は、破線１３１で表される部分を欠落させた形状となっている。この破線１３１は、カバー部１３からカバー体１０へ滑らかにつながる仮想表面を表している。この欠落形状により、カバー体１０からカバー部１３の端縁が製造工程で突出して尖がり形状となり、手に刺さるような不具合が無いようにできる。
【００４９】
ここで、図７の格納部１２の外周壁１２１には、係止突起１２ｃ（図４）が例えば等間隔で３箇所形成されている。係止突起１２ｃの寸法は、例えば厚さが０．０５ｍｍ、幅が０．５ｍｍ、上下長さが２ｍｍである。ここで、係止突起１２ｃが設けられている部分のみが干渉設計とされているので、カバー体１０の前記溝への圧入作業の際、当該作業を妨げることがない程度の干渉量に抑えることが可能となり、その一方でカバー体１０の軸を中心とした回転移動を回避することが可能となる。
【００５０】
以上のように、本実施形態におけるバッジ１によれば、光源２０から照射された光を導光する導光体２３を備えて、光源２０に面する裏面とは反対側の表面に、導光体２３の厚さ方向に対して傾斜する傾斜部２３ａを有し、光源２０が導光体２３の中央付近でこの傾斜部２３ａに対向しているので、光源２０からの光を、傾斜部２３ａで反射させて、導光体２３の中央付近から導光体２３の全体に導光することにより、輝度ムラを低減させた、面状に均一発光するバッジ１を提供することができる。上述の実施形態のようにバッジ１を発光させて、イルミネーション効果を付与することによって、従来の缶バッジ等にはない付加価値が得られるので、商品性が格段に向上する。また、暗闇での照明効果が得られるので、バッジ１を、非常用照明具として使用したり、キーホルダーで使用した場合に鍵穴の視認性を高めたりすることが可能となる。また、児童の衣服や鞄などに取り付け、発光させることによって、ドライバへの注意を喚起でき、交通安全の面でも効果を発揮する。
【００５１】
以上のとおり、図面を参照しながら好適な実施形態を説明したが、当業者であれば、本件明細書を見て、自明な範囲内で種々の変更および修正を容易に想定するであろう。したがって、そのような変更および修正は、請求の範囲から定まる発明の範囲内のものと解釈される。発光アクセサリーは、バッジやキーホルダーの他にも、携帯ストラップや名札、標識、バッグや車の装飾品などとしても応用可能である。係止爪１３ａ、１３ａ’および係止部１３ｂ、１３ｂ´は、バッグ等への取付手段であってもよい。さらに、これらの発光アクセサリーの内部にＧＰＳ機能や防犯ブザーなどの機能を追加してもよい。この場合、ブザーと発光イルミネーション（点滅や色替え）とを連動させると防犯の相乗効果が得られて好ましい。また、電池切れをおこさないように、所定時間経過後に電源を自動でＯＦＦする機能を追加したり、電源として太陽電池を併用したりしてもよい。
【符号の説明】
【００５２】
１：バッジ、１０：カバー体、１０１：外周部、１１：ケース本体、１２：格納部、１２ａ：凹部、１２ｂ、１２ｂ´：凸形状、１２ｃ：係止突起、１３：カバー部、１３ａ、１３ａ´：係止爪、１３ｂ、１３ｂ´：係止部、１３ｃ：開口、１３ｄ：凸部、１３ｅ：スリット、１３ｆ：開口、１３ｇ：凸部、１３ｈ：段差部、１４：安全ピン、１５：蓋部材、１６：ビス、１７：電池、１８：スイッチ部材、１９：基板、２０：ＬＥＤ、２１、２２：電極、２３：導光体、２３ａ：傾斜部、２３ａａ：貫通孔、２３ｂ：凸部、２３ｃ：凹所、２３１：外周部、２４：絵柄シート
【図１】
2017000423.tif 000003
【図２】
2017000423.tif 000004
【図３】
2017000423.tif 000005
【図４】
2017000423.tif 000006
【図５】
2017000423.tif 000007
【図６】
2017000423.tif 000008
【図７】
2017000423.tif 000009
【図８】
2017000423.tif 000010